【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
記憶部およびユーザ端末と接続可能なサーバの制御方法であって、
前記記憶部には、複数の店舗ごとに、各店舗と店舗の空き状態を示す状態情報とを関連付けた店舗状態テーブルが記憶され、
前記サーバが、
前記各店舗を特定する店舗特定情報を含み、かつ、各店舗の空き状態を通知する空き状態通知信号を受信し、
前記空き状態通知信号が受信された店舗に関連付けられた前記状態情報を設定し、
ユーザ端末から検索要求を受信すると、所定時間内に前記状態情報が設定された店舗を抽出し、該ユーザ端末に送信することを含み、
前記設定において、一定期間内に前記各店舗を特定する店舗特定情報を含む前記空き状態通知信号を受信した回数が上限数を超えない場合に限り、前記状態情報を設定する、
ことを特徴とするサーバの制御方法。
【請求項２】
前記設定において、各店舗の前記状態情報を設定可能な残り回数に応じて、該店舗にかかる前記所定時間を変更する、請求項１に記載の制御方法。
【請求項３】
記憶部およびユーザ端末と接続可能なサーバの制御方法であって、
前記記憶部には、複数の店舗ごとに、各店舗と店舗の空き状態を示す状態情報とを関連付けた店舗状態テーブルが記憶され、
前記サーバが、
前記各店舗を特定する店舗特定情報を含み、かつ、各店舗の空き状態を通知する空き状態通知信号を受信し、
前記空き状態通知信号が受信された店舗に関連付けられた前記状態情報を設定し、
ユーザ端末から検索要求を受信すると、所定時間内に前記状態情報が設定された店舗を抽出し、該ユーザ端末に送信することを含み、
前記設定において、一定期間内に前記各店舗の前記状態情報が設定された時間の合計が上限時間を超えない場合に限り、前記状態情報を設定する、
ことを特徴とするサーバの制御方法。
【請求項４】
前記設定において、各店舗の前記状態情報を設定可能な残り時間に応じて、該店舗にかかる前記所定時間を変更する、請求項３に記載の制御方法。
【請求項５】
前記設定において、特定の地理的範囲に対応する店舗について前記空き状態通知信号を受信した場合、前記特定の地理的範囲に対応する店舗についての前記空き状態通知信号が所定数以上であるとき、または、前記空き状態通知信号を受信した時刻が前記特定の地理的範囲に設定された所定時間帯に含まれるときは、前記空き状態通知信号に対応する店舗にかかる前記所定時間を変更する、請求項１ないし４のいずれか一項に記載の制御方法。
【請求項６】
さらに、前記店舗状態テーブルに基づいて、一の店舗の所在地からの距離が所定距離以内である前記所在地に関連付けられた他の店舗を抽出し、該他の店舗の前記状態情報を該一の店舗に送信する、請求項５に記載の制御方法。
【請求項７】
前記設定において、前記特定の地理的範囲に対応する所定数以上の店舗から、前記空き状態通知信号を受信した前記店舗の前記状態情報の設定をキャンセルする要求を通知するキャンセル通知信号を受信した場合、各店舗における前記空き状態通知信号を受信してから前記キャンセル通知信号を受信するまでの時間の平均を、前記特定の地理的範囲に対応する店舗にかかる前記所定時間として設定する、請求項５または６に記載の制御方法。
【請求項８】
前記送信において、抽出された複数の前記店舗を一覧表示する店舗一覧を表示させるための一覧情報を前記ユーザ端末に送信し、
設定された前記状態情報が変更されるまでの時間を示す空き時間に応じて前記抽出された複数の店舗が前記店舗一覧の中で表示される順序を決定する、請求項１ないし７のいずれか一項に記載の制御方法。
【請求項９】
前記送信において、特定の店舗の前記空き状態通知信号を所定期間に受信した回数が多いほど、前記特定の店舗にかかる前記所定時間を短くし、かつ、前記店舗一覧の中で前記特定の店舗が表示される順位を高くする、請求項８に記載の制御方法。
【請求項１０】
前記設定において、前記空き状態通知信号を受信した前記店舗の前記状態情報の設定をキャンセルする要求を通知するキャンセル通知信号を受信した後に、当該店舗から前記空き状態通知信号を受信すると、当該店舗にかかる前記所定時間を変更する、請求項１ないし９のいずれか一項に記載の制御方法。
【請求項１１】
前記設定において、前記店舗にかかる前記空き状態通知信号と当該空き状態通知信号に基づく前記状態情報の設定をキャンセルする前記キャンセル通知信号とをそれぞれ複数回受信した場合、前記空き状態通知信号を受信してから当該空き状態通知信号に基づき設定される空き状態をキャンセルする前記キャンセル通知信号を受信するまでの平均時間を、当該店舗にかかる前記所定時間に設定する、請求項１０に記載の制御方法。
【請求項１２】
記憶部およびユーザ端末と接続可能なサーバであって、
前記記憶部には、複数の店舗ごとに、各店舗と店舗の空き状態を示す状態情報とを関連付けた店舗状態テーブルが記憶され、
前記各店舗を特定する店舗特定情報を含み、かつ、各店舗の空き状態を通知する空き状態通知信号を受信する通知受信部と、
前記空き状態通知信号が受信された店舗に関連付けられた前記状態情報を設定する状態設定部と、
ユーザ端末から検索要求を受信する検索受信部と、
所定時間内に前記状態情報が設定された店舗を抽出し、該ユーザ端末に送信する抽出送信部と、を備え、
前記状態設定部は、一定期間内に、前記各店舗を特定する店舗特定情報を含む前記空き状態通知信号を受信した回数が上限数を超えない場合に限り、前記状態情報を設定する、
ことを特徴とするサーバ。
【請求項１３】
記憶部およびユーザ端末と接続可能なサーバであって、
前記記憶部には、複数の店舗ごとに、各店舗と店舗の空き状態を示す状態情報とを関連付けた店舗状態テーブルが記憶され、
前記各店舗を特定する店舗特定情報を含み、かつ、各店舗の空き状態を通知する空き状態通知信号を受信する通知受信部と、
前記空き状態通知信号が受信された店舗に関連付けられた前記状態情報を設定する状態設定部と、
ユーザ端末から検索要求を受信する検索受信部と、
所定時間内に前記状態情報が設定された店舗を抽出し、該ユーザ端末に送信する抽出送信部と、を備え、
前記状態設定部は、一定期間内に前記各店舗の前記状態情報が設定された時間の合計が上限時間を超えない場合に限り、前記状態情報を設定する、
ことを特徴とするサーバ。
【請求項１４】
記憶部およびユーザ端末と接続可能なサーバの制御プログラムであって、
前記記憶部には、複数の店舗ごとに、各店舗と店舗の空き状態を示す状態情報とを関連付けた店舗状態テーブルが記憶され、
前記サーバに、
前記各店舗を特定する店舗特定情報を含み、かつ、各店舗の空き状態を通知する空き状態通知信号を受信し、
前記空き状態通知信号が受信された店舗に関連付けられた前記状態情報を設定し、
ユーザ端末から検索要求を受信し、
所定時間内に前記状態情報が設定された店舗を抽出し、該ユーザ端末に送信することを実行させ、
前記設定において、一定期間内に、前記各店舗を特定する店舗特定情報を含む前記空き状態通知信号を受信した回数が上限数を超えない場合に限り、前記状態情報を設定させる、
ことを特徴とする制御プログラム。
【請求項１５】
記憶部およびユーザ端末と接続可能なサーバの制御プログラムであって、
前記記憶部には、複数の店舗ごとに、各店舗と店舗の空き状態を示す状態情報とを関連付けた店舗状態テーブルが記憶され、
前記サーバに、
前記各店舗を特定する店舗特定情報を含み、かつ、各店舗の空き状態を通知する空き状態通知信号を受信し、
前記空き状態通知信号が受信された店舗に関連付けられた前記状態情報を設定し、
ユーザ端末から検索要求を受信し、
所定時間内に前記状態情報が設定された店舗を抽出し、該ユーザ端末に送信することを実行させ、
前記設定において、一定期間内に前記各店舗の前記状態情報が設定された時間の合計が上限時間を超えない場合に限り、前記状態情報を設定させる、
ことを特徴とする制御プログラム。